(57)【要約】【課題】ＰＩコード及びＡＦリスト記憶更新時にユーザーに不快感を与えてしまう。【解決手段】放送局から到来する、番組放送及び当該番組放送に多重化されたデータを含む放送電波を受信する音声出力系統１０と、当該音声出力系統１０にて受信された放送電波から、異なる伝送方式で同一番組を放送している各放送電波のＡＦリスト及び当該同一番組であることを示すＰＩコードを抽出するデータ抽出系統２０と、当該データ抽出系統２０にて抽出されたＰＩコード及びＡＦリストを記憶するＲＡＭ３２と、当該音声出力系統１０への電力供給がないことが検出されると、当該音声出力系統１０への電力供給を開始させ、前記データ抽出系統２０にて抽出されたＰＩコード及びＡＦリストを用いて、各ＰＩコード毎に当該ＰＩコードに対応したＡＦリストを前記ＲＡＭ３２に記憶更新する制御部３６とを有している。【選択図】図１
2006187043.tif 000002
【特許請求の範囲】
【請求項１】
放送局から到来する、番組放送及び当該番組放送に多重化されたデータを含む放送電波を受信する受信手段と、
当該受信手段にて受信させる放送電波の受信周波数を順次変更させる周波数変更手段と、
受信された放送局における放送電波の受信レベルを検出するレベル検出手段と、
受信された放送電波から、異なる伝送方式で同一番組を放送している各放送電波の周波数リスト、当該同一番組であることを示す番組識別コード、交通情報を放送している交通情報放送局であることを示す交通情報放送局コード及び当該交通情報放送局からの交通情報を抽出するデータ抽出手段と、
当該データ抽出手段にて抽出された周波数リスト及び番組識別コードを記憶する記憶手段と、
前記データ抽出手段にて交通情報放送局からの交通情報を優先的に抽出させる交通情報割込モードを設定すると共に、この交通情報割込モード中に交通情報放送局の放送電波の受信レベルが所定値よりも低下すると、他の交通情報放送局の放送電波を受信するために各放送局の放送電波を順次受信させるオートリチューン動作を実行する制御手段とを有する多重放送用受信装置であって、
前記制御手段は、このオートリチューン動作中に受信された放送局の放送電波から、前記データ抽出手段にて番組識別コード及び周波数リストを抽出し、これら番組識別コード及び周波数リストに基づいて、各番組識別コードに対応した周波数リストを前記記憶手段に記憶更新することを特徴とする多重放送用受信装置。
【請求項２】
前記制御手段は、前記記憶手段に記憶された番組識別コードに対応した周波数リスト内の各放送電波に対して、受信レベルの良好な順に優先順位を決定し、当該決定された優先順位を前記周波数リスト内の各放送電波に対応づけて前記記憶手段に記憶更新することを特徴とする請求項１記載の多重放送用受信装置。
【発明の詳細な説明】
【技術分野】
【０００１】
本発明は、主に欧州等にて採用されているラジオ・データ・システム（以下、単にＲＤＳと称する）放送等の多重放送を受信する多重放送用受信装置に関する。
【背景技術】
【０００２】
従来、このような多重放送としては、ＦＭラジオ放送の放送電波に番組放送に関連する情報や交通情報等の情報を多重化し、受信側が当該多重化された情報を解読することにより、当該ラジオ放送の受聴者に対して様々なサービスを提供することができるＲＤＳ方式がある。
【０００３】
当該ＲＤＳ方式においては、主に多くの放送局がネットワークを組んで同一番組を放送することが多い欧州等で広く普及しており、ＦＭ変調波の周波数帯域以外で１９ｋＨｚのステレオパイロット信号の３次高調波である５７ｋＨｚを副搬送波とし、フィルタリング及びバイフェーズコード化された番組関連情報や交通情報等の情報を示すデータ信号により、前記副搬送波を振幅変調してラジオデータ信号とし、当該振幅変調された副搬送波を主搬送波に周波数変調して放送するようになされている。
【０００４】
図１６は当該ラジオデータ信号のベースバンドコーディング構造を示す説明図である。
【０００５】
当該ラジオデータ信号は、図１６に示すように１０４ビットからなるグループ単位で構成され、各グループは夫々２６ビットの４ブロックからなり、各ブロックは、１６ビットの情報語（ｍ０〜ｍ１５）と、１０ビットの検査語及びオフセット語（ｃ´０〜ｃ´９）とから構成されている。
【０００６】
例えば、図１７に示すように、第１ブロックには国名データや番組データからなるネットワークを示す番組識別コード（以下、単にＰＩコードと称する）が、第２ブロックには交通情報放送局の識別データを示す交通番組識別データ（以下、単にＴＰデータと称する）や交通情報中の識別データを示す交通アナウンス識別データ（以下、単にＴＡデータと称する）が、第３ブロックには同一番組を放送しているネットワーク局群の各局の周波数に係わるデータ、すなわち代替周波数リスト（以下、単にＡＦリストと称する）が、第４ブロックには放送局名やネットワーク名等の放送局名データ（以下、単にＰＳデータと称する）が夫々配置されている。
【０００７】
また、各グループは、その内容に応じて４ビットにてタイプ０〜１５の１６通りに区別され、さらに各タイプ（０〜１５）に対して夫々Ａ，Ｂの二つのバージョンが定義されており、これらの認識コードは第２ブロックに配置されている。尚、前記ＡＦリストは、タイプ０Ａグループのみで伝送されるようになっている。
【０００８】
このようにタイプ０Ａグループのラジオデータ信号中には、図１７に示すように、現在受信中の放送局と同一番組を放送しているネットワーク局のＡＦリストが含まれている。
【０００９】
では、ここで従来の多重放送用受信装置におけるＡＦリストを利用した自動追従機能について説明する。
【００１０】
このような多重放送用受信装置としては、特開平１−２０２０３０号に上げるように、前記タイプ０Ａグループのラジオデータ信号受信時に、復調して得られるＰＩコード及び当該ＰＩコードに対応したＡＦリストを取り込んで、当該装置内のメモリに記憶しておき、例えばマルチパス妨害等の外乱により現在受信中の放送局における受信レベルが所定値よりも低下した場合、又はラジオデータ信号が受信できなくなった場合、前記メモリに記憶されたＡＦリストに基づいて現在受信中の放送局と同一番組を放送している他のネットワーク局を選局する自動追従動作を開始し、当該自動追従動作により受信レベルの良好な他のネットワーク局における同一内容の番組放送を受信する。
【００１１】
従って、上記従来の多重放送用受信装置によれば、ユーザーは外乱の影響を受けることなく、常に良好な受信状態で同一番組を聴取できる。
【発明の開示】
【発明が解決しようとする課題】
【００１２】
しかしながら、上記従来の多重放送用受信装置によれば、自動追従動作に使用される前記メモリに記憶されたＰＩコード及びＡＦリストに係わる記憶更新は、例えばＦＭモードＯＮに係わるセット電源投入時に行われるので、当該ＦＭモードがＯＮされたとしても、当該記憶更新時に係わるＦＭ放送の音声はミュート状態となり、当該記憶更新の間の所望放送番組が受聴できず、ユーザーに不快感を与えてしまうという問題点があった。
【００１３】
本発明は上記問題点に鑑みてなされたものであり、その目的とするところは、ユーザーに不快感を与えることなく、ＰＩコード及びＡＦリストの記憶更新を行うことができる多重放送用受信装置を提供することにある。
【課題を解決するための手段】
【００１４】
この発明は、放送局から到来する、番組放送及び当該番組放送に多重化されたデータを含む放送電波を受信する受信手段と、当該受信手段にて受信させる放送電波の受信周波数を順次変更させる周波数変更手段と、受信された放送局における放送電波の受信レベルを検出するレベル検出手段と、受信された放送電波から、異なる伝送方式で同一番組を放送している各放送電波の周波数リスト、当該同一番組であることを示す番組識別コード、交通情報を放送している交通情報放送局であることを示す交通情報放送局コード及び当該交通情報放送局からの交通情報を抽出するデータ抽出手段と、当該データ抽出手段にて抽出された周波数リスト及び番組識別コードを記憶する記憶手段と、前記データ抽出手段にて交通情報放送局からの交通情報を優先的に抽出させる交通情報割込モードを設定すると共に、この交通情報割込モード中に交通情報放送局の放送電波の受信レベルが所定値よりも低下すると、他の交通情報放送局の放送電波を受信するために各放送局の放送電波を順次受信させるオートリチューン動作を実行する制御手段とを有する多重放送用受信装置であって、前記制御手段は、このオートリチューン動作中に受信された放送局の放送電波から、前記データ抽出手段にて番組識別コード及び周波数リストを抽出し、これら番組識別コード及び周波数リストに基づいて、各番組識別コードに対応した周波数リストを前記記憶手段に記憶更新することを特徴とする。
【００１５】
前記放送電波は、データが多重化されたＦＭ多重放送電波に相当するものである。前記レベル検出手段は、放送電波のシグナルメータ値及び／又はノイズレベル値等に基づいて受信レベルを検出するものである。
【００１６】
前記データ抽出手段にて抽出されるデータは、ＲＤＳデータに相当するものであり、前記周波数リストはＡＦリスト、前記番組識別コードはＰＩコード、前記交通情報放送局コードはＴＰデータ、前記交通情報はＴＡデータに相当するものである。
【００１７】
前記交通情報割込モードとは、前記交通情報局からＴＡデータ、すなわち交通情報を受信すると、現在モードがＦＭモードでなくても交通情報を優先的にデータ抽出手段に抽出させるようにしたモードである。
【００１８】
前記オートリチューン動作とは、交通情報割込モード中に現在受信中の交通情報放送局の受信レベルが所定値よりも低下、すなわち受信レベルが悪化したときに、受信レベルの良好な他の交通情報放送局をシークするものである。
【００１９】
従って、上記第１の発明における多重放送用受信装置によれば、このオートリチューン動作に伴って受信された各放送局の放送電波から番組識別コード及び周波数リストを抽出し、これら番組識別コード及び周波数リストに基づいて、各番組識別コードに対応した周波数リストを前記記憶手段に記憶更新するようにしたので、オートリチューン動作中にＡＦリストの記憶更新を行ったとしても、このオートリチューン動作は受信レベルの良好な交通情報放送局をシークする事を目的としているため、この記憶更新に伴うＦＭ放送のミュートによって、ユーザーに不快感を与えるようなことはない。
【００２０】
また、第２の発明の多重放送用受信装置は、上記第１の発明の構成に加えて、前記制御手段は、前記記憶手段に記憶された番組識別コードに対応した周波数リスト内の各放送電波に対して、受信レベルの良好な順に優先順位を決定し、当該決定された優先順位を前記周波数リスト内の各放送電波に対応づけて前記記憶手段に記憶更新することを特徴とする。
【００２１】
従って、上記第２の発明における多重放送用受信装置によれば、上記第１の発明の効果に加えて、周波数リスト及び番組識別コードを前記記憶手段に記憶更新するとき、当該受信周波数の受信レベルが良好な順に優先順位を決定し、当該決定した優先順位を付加した形で周波数リスト及び番組識別コードを前記記憶手段に記憶更新するようにしたので、自動追従時においては、当該記憶手段に記憶された優先順位に基づいて受信レベルの良好な放送電波を迅速、かつスムーズに選局することができる。
【発明の効果】
【００２２】
かかる構成により、本発明は、オートリチューン動作に伴って受信された各放送局の放送電波から番組識別コード及び周波数リストを抽出し、これら番組識別コード及び周波数リストに基づいて、各番組識別コードに対応した周波数リストを前記記憶手段に記憶更新するようにしたので、オートリチューン動作中にＡＦリストの記憶更新を行ったとしても、このオートリチューン動作は受信レベルの良好な交通情報放送局をシークする事を目的としているため、この記憶更新に伴うＦＭ放送のミュートによって、ユーザーに不快感を与えるようなことはない。
【発明を実施するための最良の形態】
【００２３】
以下、図面に基づいて本発明の多重放送用受信装置の実施形態を示す車載用ＲＤＳ受信機について説明する。図１は本発明の多重放送用受信装置の実施形態を示すＲＤＳ受信機内部の概略構成を示すブロック図である。
【００２４】
図１に示すＲＤＳ受信機は、放送局から到来するＦＭ放送を受信し、当該受信されたＦＭ放送を音声出力する音声出力系統１０と、当該ＦＭ放送に多重化されたデータを抽出するデータ抽出系統２０と、当該ＲＤＳ受信機全体を制御する制御系統３０とを有している。
【００２５】
前記音声出力系統１０としては、放送局から到来する、番組放送及び当該番組放送に多重化されたデータを含む放送電波を受ける受信アンテナ１１と、後述するＰＬＬ回路からの電圧信号により、所望周波数を前記受信アンテナ１１より受信して、所定の中間周波数信号に変換するフロントエンド部１２と、当該変換された中間周波数信号を検波するＩＦ検波回路１３と、当該ＩＦ検波回路１３の出力信号をステレオ信号に復調し、ステレオ放送の場合にはＬ（左）、Ｒ（右）チャンネルのオーディオ信号に分離するマルチプレクス（以下、単にＭＰＸと称する）回路１４と、当該ＭＰＸ回路１４からのステレオ信号に対してミュート処理を施すミューティング回路１５と、当該ステレオ信号を増幅するアンプ１６と、当該増幅されたステレオ信号を音声出力するスピーカ部１７と、後述する制御部からのコントロールデータに基づいて受信周波数に対応した所定の電圧信号を送出するＰＬＬ回路１８とを有している。
【００２６】
尚、前記ミューティング回路１５は、例えばＡＦリストに基づく自動追従動作時、又はＡＦリストの記憶更新時の周波数切換動作時に発生する不快な音声が前記スピーカ部１７から音声出力されないように消音するためのものである。
【００２７】
このＲＤＳ受信機は、図示せぬが、受信アンテナ１１としてダイバシティアンテナを採用しており、前記フロントエンド部１２、ＩＦ検波回路１３及びＰＬＬ回路１８からなるラジオチューナーをそれぞれ２個づつ設けてあるので、一方の受信アンテナ１１でＡＭ放送を受信し、他方の受信アンテナ１１でＦＭ放送を受信することも可能である。
【００２８】
前記データ抽出系統２０としては、前記ＩＦ検波回路１３にて検波された中間周波数信号からＲＤＳデータをデコードするＲＤＳデコーダ２１と、当該ＲＤＳデコーダ２１の出力データに対して順次にグループ及びブロック同期をとると共に、当該出力データのエラーを検出して、当該エラー検出されたデータをエラー訂正するエラー検出・訂正回路２２とを有している。
【００２９】
尚、前記ＲＤＳデコーダ２１の出力データは、図１６及び図１７に示すように２６ビット構成の４ブロックからなる１０４ビットのグループ単位となっているため、前記エラー検出・訂正回路２２においては、当該ＲＤＳデコーダ２１からの出力データに対して、各ブロックの１０ビットの検査語に夫々割り当てられた１０ビットのオフセット語に基づいて、１６ビットの情報語に対するエラー検出を順次に行うものである。
【００３０】
前記制御系統３０としては、前記ＩＦ検波回路１３にて検波された中間周波数信号の受信レベルを検出する受信レベル検出回路３１と、前記データ抽出系統２０にて抽出されたＲＤＳデータ中の、例えばＡＦリスト及びＰＩコード等を記憶するＲＡＭ３２と、様々な情報を表示する表示器３３や様々な指令を入力する操作キー３４を備えた操作パネル３５と、当該ＲＤＳ受信機全体を制御する制御部３６とを有している。
【００３１】
前記受信レベル検出回路３１は、前記ＩＦ検波回路１３の検波出力レベルを監視することにより、受信信号における電界強度データであるシグナルメータ（以下、単にＳメータと称する）値及びマルチパス妨害等のノイズレベル値等の受信レベルを検出するものである。
【００３２】
前記操作パネル３５の操作キー３４には、当該ＲＤＳ受信機の電源をＯＮ・ＯＦＦするＰＯＷＥＲキー３４ａと、音量を調節するボリュームＵＰキー３４ｂやボリュームＤＯＷＮキー３４ｃと、ＲＤＳデータを抽出させるＲＤＳキー３４ｄと、交通情報の割込待機（交通情報割込モード）を起動させるＴＡキー３４ｅや、例えばテープデッキやＣＤプレーヤといった音源を切り替えるソースモード切換キー３４ｆと、プリセットされた放送局をワンタッチで選局する６つのプリセットキー３４ｇと、前記プリセットキー３４ｇに各放送局を割り当てるためのシーク動作を自動で行うオートストアキー３４ｈと、所望受信周波数をマニュアルで行うＵＰキー３４ｉ及びＤＯＷＮキー３４ｊ等とを有している。尚、前記ソースモード切換キー３４ｆの入力操作によって、ＣＤモード、ＡＭモード、ＦＭモード又はテープモード等に切換設定することができる。
【００３３】
前記制御部３６は、前記データ抽出系統２０にて抽出されたＡＦリスト、ＰＩコードや前記受信レベル検出回路３１にて検出された受信レベル等を前記ＲＡＭ３２に記憶すると共に、前記操作キー３４からの操作入力に対応した制御を実行すると共に、当該操作キー３４からのコントロールデータに基づいて前記ＰＬＬ回路１８から所望周波数に対応した電圧信号を送出させると共に、前記操作キー３４の所定入力に応じて前記ミューティング回路１５をＯＮ・ＯＦＦ制御するものである。
【００３４】
尚、前記ＲＡＭ３２には、図５に示すように前記プリセットキー３４ｇに対応したＮ個のプリセットメモリ領域３２ａと、予備メモリ領域３２ｂとを有しており、前記プリセットメモリ領域３２ａには、各プリセットキー３４ｇに割り当てられた放送局に係わる局データ、すなわち当該放送局に対応したＰＩコード毎のＡＦリスト及び、当該ＡＦリスト中の各放送局における受信レベル（Ｓメータ値及びノイズレベル値）が記憶されているものであり、前記予備メモリ領域３２ｂには前記プリセットキー３４ｇに割り当てられた放送局以外の放送局、すなわちプリセットキー３４ｇに割り当てられなかった放送局に対応するＰＩコード、ＡＦリスト及び受信レベル（Ｓメータ値及びノイズレベル値）が記憶されているものである。尚、各プリセットキー３４ｇはＰＩコード毎に放送局を記憶しているものである。
【００３５】
では、当該ＲＤＳ受信機の動作について説明する。
【００３６】
まずは、前記データ抽出系統２０により抽出されたＡＦリスト及びＰＩコードを前記ＲＡＭ３２に記憶更新するＲＡＭデータ更新処理を起動させる処理について説明する。図２は当該データ更新起動処理における制御部３６の処理動作を示すフローチャートである。
【００３７】
図２において制御部３６は、当該ＲＤＳ受信機を搭載した自動車のＡＣＣ電源がＯＦＦされたか否かを判定する（ステップＳ１１）。当該ＡＣＣ電源がＯＦＦされたのであれば、後述する図３に示すＲＡＭデータ更新処理（ステップＳ２０）に移行し、当該ＲＡＭデータ更新処理を実行した後に、このデータ更新起動処理を終了する。
【００３８】
また、ステップＳ１１にて当該ＡＣＣ電源がＯＦＦされたのでなければ、当該車載用ＲＤＳ受信機の電源がＯＦＦされたか否かを判定する（ステップＳ１２）。尚、当該電源のＯＮ・ＯＦＦは前記操作パネル３５にあるＰＯＷＥＲキー３４ａの入力を監視することにより実現できるものである。
【００３９】
ステップＳ１２にて当該車載用ＲＤＳ受信機の電源がＯＦＦされたのであれば、ステップＳ２０に移行する。また、ステップＳ１２にて車載用ＲＤＳ受信機の電源がＯＦＦされたのでなければ、ＦＭモード以外の他のモード、例えばＡＭモードやテープモード、ＣＤモード等への切り換えが行われたか否かを判定する（ステップＳ１３）。尚、当該ＦＭモード以外の他のモードへの切換は、前記操作パネル３５にあるソースモード切換キー３４ｆの入力を監視することにより実現できるものである。
【００４０】
ステップＳ１３にて当該他のモードへの切り換えが行われたのであれば、ステップＳ２０に移行する。また、当該他のモードへの切り換えが行われたのでなければ、ステップＳ１１に移行する。
【００４１】
従って、図２に示す当該データ更新起動処理によれば、当該ＲＤＳ受信機の電源ＯＦＦ、ＡＣＣ電源ＯＦＦやＦＭモード以外の他のモードへの切換時、すなわちユーザーが受聴したいＦＭ放送番組がないという意志をキー動作で意志表示したときに、前記データ抽出系統２０により得られたＡＦリスト及びＰＩコード等のＲＤＳデータをＲＡＭ３２に記憶するようにしたので、従来のような所望ＦＭ放送受聴直前に行われるＡＦチェック動作及びデータ更新時のミュートによって、ユーザーに不快感を与えるようなことはない。
【００４２】
では、次に図２に示すステップＳ２０のＲＡＭデータ更新処理について説明する。図３及び図４は当該ＲＡＭデータ更新処理における制御部３６の処理動作を示すフローチャートである。
【００４３】
当該ＲＡＭデータ更新処理とは、前記プリセットキー３４ｇに割り当てられた放送局のＰＩコード、当該ＰＩコードに対応したＡＦリストや当該ＡＦリスト内の各放送局のノイズレベル値及びＳメータ値を前記ＲＡＭ３２に記憶更新する処理である。
【００４４】
図３において制御部３６は、“１”のプリセットキー３４ｇに対応するプリセットメモリ領域３２ａのプリセットＮｏ．を“１”とし（ステップＳ２１）、受信周波数を当該ＦＭラジオ放送の受信帯域内における最小受信周波数にセットし（ステップＳ２２）、当該セットされた受信周波数に対応する放送局の局検出信号があるか否かを判定する（ステップＳ２３）。
【００４５】
当該局検出信号があれば、前記受信レベル検出回路３１を介して当該放送局の受信レベルを取得し（ステップＳ２４）、当該取得された受信レベルがＲＤＳデータを読める受信レベルであるか否かを判定する（ステップＳ２５）。
【００４６】
当該取得された受信レベルがＲＤＳデータを読める受信レベルであれば、現在受信された受信周波数の放送局と同一のＰＩコードが当該プリセットメモリ領域３２ａ内にあるか否かを判定する（ステップＳ２６）。当該プリセットメモリ領域３２ａ内に同一のＰＩコードがなければ、当該プリセットメモリ領域３２ａ内に同一番組が重複されて記憶されていないと判断し、プリセットＮｏ．はＮ値を超えたか否かを判定する（ステップＳ２７）。尚、当該Ｎ値とは、プリセットキー３４ｇの数に対応するものであり、本実施形態の場合にはプリセットキー３４ｇの数が６つ、すなわち６つの放送局であるので、Ｎの値は６ということになる。
【００４７】
当該プリセットＮｏ．がＮ値を超えたのでなければ、当該プリセットメモリ領域３２ａ内に同一番組が重複されて記憶されていないと判断して、図５に示すように、空きプリセットメモリ領域３２ａ内に当該受信中の放送局の局データを記憶する（ステップＳ２８）。尚、当該局データとは、ＰＩコード、当該ＰＩコードに対応したＡＦリスト及び当該ＡＦリスト内の各放送局における受信レベルに相当するものである。
【００４８】
ステップＳ２８にて局データを空きプリセットメモリ領域３２ａに記憶した後、プリセットＮｏ．を＋１インクリメントし（ステップＳ２９）、受信周波数を１ステップ上げ（ステップＳ３０）、当該ＦＭ放送の受信帯域を一周したか否かを判定する（ステップＳ３１）。当該受信帯域を一周したのであれば、図４に示すＭ１に移行する。また、当該受信帯域を一周したのでなければ、ステップＳ２３に移行する。
【００４９】
また、ステップＳ２３にて局検出信号がなければ、又はステップＳ２５にてＲＤＳデータが読める受信レベルでなければ、ステップＳ３０に移行する。
【００５０】
また、ステップＳ２７にてプリセットＮｏ．がＮ値を超えたのであれば、当該ＲＡＭ３２内に空きプリセットメモリ領域３２ａがないと判断して、当該ＲＡＭ３２の予備メモリ領域３２ｂに局データを記憶し（ステップＳ３３）、ステップＳ３０に移行する。
【００５１】
また、ステップＳ２６にてプリセットメモリ領域３２ａ内に同一ＰＩコードがあれば、同一ＰＩコードを有するプリセットメモリ領域３２ａ内にて局データを記憶更新し（ステップＳ３２）、ステップＳ３０に移行する。
【００５２】
図４に示すＭ１において制御部３６は、各プリセットメモリ領域３２ａに記憶された局データにおける各ＰＩコード毎のＡＦリスト内にてＳメータ値が大きい順に優先順位Ｎｏ．を付与し（ステップＳ４１）、当該ＡＦリスト内に同一のＳメータ値を有するものに関してはノイズレベル値が低い方を優先とし（ステップＳ４２）、当該ＡＦリスト内にてＳメータ値及びノイズレベル値が同一の場合、受信周波数が低い方を優先とするように優先順位を付与して（ステップＳ４３）、当該ＲＡＭデータ更新処理を終了する。
【００５３】
尚、ステップＳ４１、４２及び４３の処理動作は、同一ＰＩコードにおけるＡＦリスト内の各放送局に対応するＳメータ値の大きい順を第１の優先条件とし、同一Ｓメータ値の場合はノイズレベル値の低い順を第２の優先条件とし、同一Ｓメータ値及び同一ノイズレベル値の場合は受信周波数の低い順を第３優先条件として当該ＡＦリスト内の優先順位Ｎｏ．を付与するものである。
【００５４】
従って、図３及び図４に示すＲＡＭデータ更新処理によれば、前記ＲＡＭ３２に各放送局の局データを記憶する際に、当該局データのＡＦリスト内にある各放送局の受信レベルをチェックし、当該チェックされた受信レベルに基づいて受信レベルの良好な順に優先順位を合わせて記憶するようにしたので、後述する自動追従動作時においては当該優先順位に基づいて受信レベルの良好な同一番組放送を迅速かつスムーズに受信することができる。
【００５５】
また、図３及び図４に示すＲＡＭデータ更新処理によれば、例えばＦＭモード以外の他モード中にＴＡデータ等の交通情報割込が実行されるような、すなわち他モード中に前記データ抽出系統２０を起動しておかなければならない場合も想定される。そこで、このような場合のＲＡＭデータ更新処理について説明する。図６は当該ＲＡＭデータ更新処理における制御部３６の処理動作を示すフローチャートである。尚、図６のフローチャートにおいてはＦＭモード以外の他のモード、例えばテープモードに切り換えられた場合について説明する。
【００５６】
図６において制御部３６は、ＦＭモードから当該ＦＭモード以外の他モード、例えばテープモードに切り換えられたか否かを判定する（ステップＳ７１）。他モードに切り換えられたのであれば、交通情報割込によるＴＡ待機中であるか否かを判定する（ステップＳ７２）。当該ＴＡ待機中でなければ、予め設定された周波数、例えばラストメモリ周波数を受信し（ステップＳ７３）、当該受信された放送局のＳメータ値が所定値以上であるか否かを判定する（ステップＳ７４）。
【００５７】
当該Ｓメータ値が所定値以上であれば、当該受信局の局データ、すなわち当該受信局のＰＩコード、当該ＰＩコードに対応するＡＦリスト及び当該ＡＦリスト内の各放送局に係わる受信レベルを、当該受信局に対応するプリセットメモリ領域３２ａに記憶し（ステップＳ７５）、局データ内の受信レベルに基づいて優先順位Ｎｏ．を更新し（ステップＳ７６）、ＦＭ放送の受信帯域を１周したか否かを判定する（ステップＳ７７）。
【００５８】
当該ＦＭ放送の受信帯域を１周したのであれば、タイマーをクリアーし（ステップＳ７８）、設定時間が経過したか否かを判定する（ステップＳ７９）。当該設定時間が経過したのであれば、ＦＭモードに切り換えられたか否かを判定する（ステップＳ８０）。当該ＦＭモードに切り換えられたのであれば、当該ＲＡＭデータ更新処理を終了する。
【００５９】
尚、ステップＳ７８及びステップＳ７９の必要性は、ＦＭモードから他のモードへの切換時に、１回しかデータ更新が行われないと、当該ＲＤＳ受信機を搭載した自動車が移動することにより、すぐにデータ内容が変化してしまうため、タイマーを設けることにより１０分に１回程度のデータ更新を行うようにしてデータ更新に係わる制御部３６の負担を大幅に軽減することにある。
【００６０】
また、ステップＳ７１にてＦＭモード以外の他のモードに切り換えられたのでなければ、当該ＲＡＭデータ更新処理を終了する。ステップＳ７２にてＴＡ待機中であれば、ステップＳ８０に移行する。また、ステップＳ７４にて受信局の電界強度が所定値以上でなければ、ステップＳ７７に移行する。
【００６１】
また、ステップＳ７７にてＦＭ放送の受信帯域を１周したのでなければ、受信周波数を次の受信周波数に１ステップ更新し（ステップＳ８１）、ステップＳ７４に移行する。
【００６２】
また、ステップＳ８０にてＦＭモードへの切り換えが行われたのでなければ、ステップＳ７２に移行する。
【００６３】
従って、図６に示すＲＡＭデータ更新処理によれば、ＦＭモード以外の他のモードに切り換えられたとしても、交通情報割込待機中の場合、すなわち前記データ抽出系統２０が作動中の場合にはＲＡＭデータ更新処理を実行しないようにしたので、ＲＤＳデータを利用した交通情報割込動作を阻害することなく、図３及び図４に示すＲＡＭデータ更新処理と同様の効果が得られる。
【００６４】
また、当該ＲＤＳ受信機にはオートストア機能を有している。当該オートストア機能としては、新しく受信機を購入したとき、又は受信エリアを大幅に移動したときに使用されることが多く、この際に前記ＲＡＭデータ更新処理を行うようにすれば、より一層の効果が得られることは間違いない。そこで、このようなオートストア動作時に行われるＲＡＭデータ更新処理について説明する。図７及び図８は当該オートストアＲＡＭデータ更新処理における制御部３６の処理動作を示すフローチャートである。
【００６５】
図７に示す制御部３６は、オートストアキー３４ｈが入力されたか否かを判定する（ステップＳ１２１）。当該オートストアキー３４ｈが入力されたのであれば、割り当てられるプリセットキー３４ｇに対応するプリセットＮｏ．のＮ値を“１”とし（ステップＳ１２２）、シークする受信周波数をセットして受信し（ステップＳ１２３）、当該受信された受信局の受信レベルを前記受信レベル検出回路３１を介して検出し（ステップＳ１２４）、当該検出された受信レベルがＲＤＳデータ読取可能な受信レベルであるか否かを判定する（ステップＳ１２５）。当該受信レベルが読取可能な受信レベルであれば、当該ＲＤＳデータを読み取り（ステップＳ１２６）、プリセットキー３４ｇに対応するプリセットＮｏ．が“６”を超えたか否かを判定する（ステップＳ１２７）。
【００６６】
当該プリセットキー３４ｇに対応するプリセットＮｏ．が“６”を超えたのでなければ、現在のプリセットＮｏ．に対応するプリセットメモリ領域３２ａに受信中の放送局に係わる受信周波数を記憶し（ステップＳ１２８）、前記プリセットＮｏ．を＋１インクリメントして（ステップＳ１２９）、図８に示すＭ４に移行する。
【００６７】
また、ステップＳ１２１にてオートストアキー３４ｈが入力されたのでなければ、当該オートストアＲＡＭデータ更新処理を終了する。また、ステップＳ１２５にて受信局の受信レベルがＲＤＳデータ読取可能なレベルでなければ、前記プリセットメモリ領域３２ａ内のＡＦリスト内に受信局と同一の周波数があるか否かを判定する（ステップＳ１３０）。
【００６８】
当該ＡＦリスト内に受信局と同一の周波数があれば、当該ＡＦリスト内における該当周波数の受信レベルをステップＳ１２４にて取得した受信レベルに書き換え（ステップＳ１３１）、受信周波数を１ステップシークアップし（ステップＳ１３２）、当該シークアップによりＦＭ放送の受信帯域を１周したか否かを判定する（ステップＳ１３３）。当該受信帯域を１周したのであれば、当該オートストアＲＡＭデータ更新処理を終了する。
【００６９】
また、ステップＳ１２７にてプリセットＮｏ．が“６”を超えたのであれば、図８に示すＭ４に移行する。
【００７０】
また、ステップＳ１３０にてＡＦリスト内に受信局と同一の周波数がなければ、ステップＳ１３２に移行する。また、ステップＳ１３３にてＦＭ放送の受信帯域を１周したのでなければ、ステップＳ１２３に移行する。
【００７１】
次に図８に示すＭ４において制御部３６は、前記ＲＡＭ３２のプリセットメモリ領域３２ａのＡＦリスト内に現在受信中の受信局と同一の周波数があるか否かを判定する（ステップＳ１４１）。当該ＡＦリスト内に受信局と同一の周波数があれば、当該ＡＦリストに対応するＰＩコードと前記受信局のＰＩコードとが同一であるか否かを判定する（ステップＳ１４２）。これらＰＩコードが同一であれば、図７に示すＭ６に移行する。
【００７２】
また、ステップＳ１４２にてＰＩコードが同一でなければ、図９に示すように当該ＡＦリスト内の該当周波数の放送局が異なる番組を放送していることを示す“×”マークを付し（ステップＳ１４３）、図７に示すＭ５に移行する。尚、ステップＳ１４３にて図９に示すように該当周波数に“×”マークを付して同一番組でないことを識別させるようにしたが、受信レベルの書き換えは行わないものとする。
【００７３】
ステップＳ１４１にてＡＦリスト内に受信局と同一の周波数がなければ、新たなＰＩコードのＡＦリスト、すなわち当該受信局の局データを空きプリセットメモリ領域３２ａに記憶し（ステップＳ１４４）、図７に示すＭ５に移行する。尚、ステップＳ１４４にて当該受信局の局データを空きプリセットメモリ領域３２ａに記憶するようにしたが、空きプリセットメモリ領域３２ａがなければ、予備メモリ領域３２ｂに記憶するものである。
【００７４】
従って、図７及び図８に示すオートストアＲＡＭデータ更新処理によれば、新規使用時及び新規の受信エリア移行時に使用されるオートストア機能時に各ＰＩコードに対応したＡＦリストと当該ＡＦリスト内にある各放送局の受信レベルとを前記ＲＡＭ３２に記憶するようにしたので、非常に使い勝手が良くなる。尚、当該オートストアＲＡＭデータ更新処理においても、当該ＲＡＭ３２に記憶されたＡＦリスト内の優先順位を付すようにしても良く、この場合には図９に示すようになる。
【００７５】
また、当該オートストアＲＡＭデータ更新処理によれば、放送局側又は放送行政の不備又は国境等の地域・地形的な問題等でＲＤＳデータとして送信されたＡＦリスト内の一つと同一の周波数で異なる番組を放送している放送局がある場合に、従来においては自動追従動作時に当該異なる番組を放送している放送局を一度受信してしまうために、ユーザーからして見れば当該受信機の誤動作と判断してしまう。しかしながら、ステップＳ１４３に示すように当該ＲＡＭ３２に記憶中のＡＦリスト内に異なる番組の放送局が存在したときに、“×”マークを付しておくことにより、当該自動追従時における異なる番組の放送局を受信するような事態は発生しない。
【００７６】
また、当該オートストアＲＡＭデータ更新処理によれば、放送局側又は放送行政の不備により、実際にＲＤＳ放送を行っているが、当該ＲＤＳデータとして送信されてきたＡＦリスト内に組み込まれていない局も存在することがあり、従来の自動追従動作時においては当該組み込まれなかった放送局を自動追従することは不可能であるが、ステップＳ１４４に示すように新たなＰＩコードのＡＦリストを作成して局データを記憶するようにしたので、たとえＡＦリスト内に組み込まれてなくても、当該組み込まれなかった放送局を認識することができる。
【００７７】
では、次に当該ＲＡＭ３２に記憶された局データに基づく自動追従動作について説明する。図１０は第１自動追従動作処理における制御部３６の処理動作を示すフローチャートである。
【００７８】
当該第１自動追従動作処理とは、図３、図４、図６、図７及び図８に示すＲＡＭデータ更新処理より得られた各同一番組毎の各放送局における優先順位に基づいて受信レベルの良好な同一番組放送を受信する処理である。
【００７９】
図１０において制御部３６は、現在受信中の放送局におけるＳメータ値が所定値以下になったか否かを判定する（ステップＳ５１）。現在受信中の放送局におけるＳメータ値が所定値以下になったのであれば、当該受信局における受信周波数及びその受信レベルを前記ＲＡＭ３２に記憶し（ステップＳ５２）、当該受信局に係わるプリセットメモリ領域３２ａに記憶された優先順位に基づいて最優先順位の放送局をセットし（ステップＳ５３）、前記ミューティング回路１５に音声をミュートさせ（ステップＳ５４）、先にセットされた優先順位の放送局を受信させ（ステップＳ５５）、前記受信レベル検出回路３１を介して当該受信局のＳメータ値が所定値以上、かつノイズレベル値が所定値以下であるか否かを判定する（ステップＳ５６）。
【００８０】
当該受信局のＳメータ値が所定値以上で、かつノイズレベル値が所定値以下であれば、前記ミューティング回路１５の音声ミュートを解除し（ステップＳ５７）、当該第１自動追従動作処理を終了する。
【００８１】
また、ステップＳ５６にて受信局のＳメータ値が所定値以上、かつノイズレベル値が所定値以下でなければ、先にセットされた優先順位Ｎｏ．に＋１をインクリメントしてセットし（ステップＳ５８）、当該受信局に係わるプリセットメモリ領域３２ａ内の優先順位Ｎｏ．が最大値、すなわち優先順位Ｎｏ．中の最後のＮｏ．であるか否かを判定する（ステップＳ５９）。尚、当該優先順位Ｎｏ．が最大値であるか否かの判定は、当該プリセットメモリ領域３２ａ内に記憶されたＡＦリスト内の放送局数に相当するものである。
【００８２】
ステップＳ５９にて優先順位Ｎｏ．が最大値であれば、当該優先順位Ｎｏ．１、すなわち最優先順位の放送局をセットし（ステップＳ６０）、当該受信周波数をミュート前、すなわちステップＳ５１にて受信していた受信局を受信させ（ステップＳ６１）、前記ミューティング回路１５の音声ミュートを解除して（ステップＳ６２）、当該受信局のＳメータ値が所定値以下であるか否かを判定する（ステップＳ６３）。当該Ｓメータ値が所定値以下でなければ、当該第１自動追従動作処理を終了する。
【００８３】
ステップＳ５９にて優先順位Ｎｏ．が最大値でなければ、ステップＳ６１に移行する。また、ステップＳ６３にてＳメータ値が所定値以下であれば、タイマーをスタートし（ステップＳ６４）、当該スタートされたタイマーの所定時間が経過したか否かを判定する（ステップＳ６５）。当該所定時間が経過されたのであれば、図中のＭ２に移行する。尚、ステップＳ６１及びステップＳ６２の処理動作を行うようにしたのは、長時間のミュートによりユーザーに与える不快感を回避するものである。また、ステップＳ６４及びステップＳ６５の処理動作は、時間間隔をあけることにより受信レベルが良好になるのを監視するためのものである。
【００８４】
従って、図１０に示す第１自動追従動作処理によれば、図３、図４、図６、図７及び図８に示すＲＡＭデータ更新処理による各プリセットメモリ領域３２ａに記憶された各同一番組毎の優先順位に基づいて自動追従動作を実行するようにしたので、受信レベルの良好な放送局を迅速、かつスムーズに受信することができ、しかも良好な放送局受信に係わる、従来のような長時間のミュートに対するユーザーの不快感を大幅に回避することができる。
【００８５】
また、上記第１自動追従動作処理においては、当該ＲＤＳ受信機を搭載した自動車が移動中であるために、追従動作時に実際上の受信レベルとプリセットメモリ領域３２ａに記憶された優先順位による受信レベルとは若干のずれが発生することも考えられる。
【００８６】
そこで、このような事態を打開するために図１１に示す第２自動追従動作処理が考えられる。図１１は当該第２自動追従動作処理における制御部３６の処理動作を示すフローチャートである。
【００８７】
当該第２自動追従動作処理によれば、自動追従動作時においても前記プリセットメモリ領域３２ａに記憶された優先順位を更新しながら、常に受信レベルの良好な放送局を受信させる処理である。
【００８８】
図１１において制御部３６は、現在受信中の放送局のＳメータ値が所定値以下であるか否かを判定する（ステップＳ９１）。当該Ｓメータ値が所定値以下であれば、受信局の周波数及び受信レベルを前記ＲＡＭ３２に記憶し（ステップＳ９２）、現在受信中の放送局に対応するプリセットメモリ領域３２ａから優先順位Ｎｏ．１の受信局をセットし（ステップＳ９３）、前記ミューティング回路１５にて音声ミュートをかけ（ステップＳ９４）、前記セットされた優先順位Ｎｏ．の放送局を受信し（ステップＳ９５）、当該受信局のＳメータ値が所定値以上で、かつノイズレベル値が所定値以下であるか否かを判定する（ステップＳ９６）。
【００８９】
当該受信局のＳメータ値が所定値以上で、かつノイズレベル値が所定値以下であれば、現在受信中の受信レベルを記憶更新し（ステップＳ９７）、後述する図９に示す優先順位更新処理に移行し（ステップＳ１１０）、当該優先順位更新処理後に前記ミューティング回路１５の音声ミュートを解除し（ステップＳ９８）、当該第２自動追従動作を終了する。
【００９０】
ステップＳ９６にて受信局のＳメータ値が所定値以上で、かつノイズレベル値が所定値以下でなければ、現受信局の受信レベルを記憶更新し（ステップＳ９９）、現在の受信局に対応するプリセットメモリ領域３２ａの優先順位Ｎｏ．を＋１インクリメントにセットし（ステップＳ１００）、当該優先順位Ｎｏ．が最大値に達したか否かを判定する（ステップＳ１０１）。
【００９１】
当該優先順位Ｎｏ．が最大値に達したのであれば、図９に示す優先順位更新処理に移行し（ステップＳ１１０）、当該優先順位更新処理後に優先順位Ｎｏ．１の放送局をセットし（ステップＳ１０２）、現在の受信周波数をステップＳ９１にて受信していた放送局を受信し（ステップＳ１０３）、前記ミューティング回路１５の音声ミュートを解除し（ステップＳ１０４）、当該受信局のＳメータ値が所定値以下であるか否かを判定する（ステップＳ１０５）。当該受信局のＳメータ値が所定値以下であれば、タイマーをスタートし（ステップＳ１０６）、所定時間経過したか否かを判定する（ステップＳ１０７）。当該所定時間を経過したのであれば、図中のＭ３に移行する。
【００９２】
また、ステップＳ１０１にて優先順位Ｎｏ．が最大値でなければ、ステップＳ１０３に移行する。
【００９３】
では、次にステップＳ１１０の優先順位更新処理について説明する。図１２は優先順位更新処理における制御部３６の処理動作を示すフローチャートである。
【００９４】
図１２において制御部３６は、現在追従中のＰＩコードに対応するプリセットメモリ領域３２ａのＡＦリスト内の各放送局においてＳメータ値の大きい順に優先順位を付与し（ステップＳ１１１）、当該優先順位付与時に同一Ｓメータ値がある場合、ノイズレベル値の低い方を優先し（ステップＳ１１２）、Ｓメータ値が同一で、かつノイズレベル値が同一の場合、受信周波数が小さい順に優先順位を付与し（ステップＳ１１３）、当該優先順位更新処理を終了する。
【００９５】
従って、図１１に示す第２自動追従動作処理によれば、自動追従動作を行いながら最新の優先順位を更新するようにしたので、ユーザーは常に受信レベルの良好な放送局を受信することができる。
【００９６】
図１３は本発明の他の実施の形態の優先順位更新処理における制御部３６の処理動作を示すフローチャートである。尚、構成については上記実施の形態と略同様であるから、前記実施の形態と同一構成部分には同一符号を付し、その重複する説明については省略する。
【００９７】
通常、このような車載用ＲＤＳ受信機においては、ＦＭモード以外の他のモード時における交通情報割込待機中（交通情報割込モード中；ＴＡ待機中）に、このＴＡデータを送信するＴＰ局の受信レベルが所定値よりも低下、すなわちＴＰ局の受信状況が悪化した場合には、受信状況の良好なＴＰ局を探すＴＰオートリチューン動作を実行する。尚、前記交通情報割込モードとは、前記ＴＰ局からＴＡデータを受信すると、現在モードがＦＭモードでなくても、優先的にＴＡデータを解読させるものである。
【００９８】
図１３に示す優先順位更新処理とは、交通情報割込待機中であってもＴＰオートリチューン動作に伴って受信された各放送局の受信レベル（Ｓメータ値及びノイズレベル値）を測定し、この受信レベルに基づいて前記プリセットメモリ領域３２ａに記憶されたＡＦリスト内の優先順位を受信レベルの良好な順に記憶更新するものである。
【００９９】
図１３に示す制御部３６は、ＴＡ待機中であるか否かを判定する（ステップＳ１６１）。ＴＡ待機中であれば、現在受信中の受信局のＳメータ値が所定値以上であるか否かを判定する（ステップＳ１６２）。この受信局のＳメータ値が所定値以上であれば、この受信局のノイズレベル値が所定値以下であるか否かを判定する（ステップＳ１６３）。この受信局のノイズレベル値が所定値以下であれば、この受信局がＴＰ局であるか否かを判定する（ステップＳ１６４）。
【０１００】
この受信局がＴＰ局であれば、ＴＡデータを受信中であるか否かを判定する（ステップＳ１６５）。ＴＡデータを受信中であれば、ＴＡ割込動作を実行し（ステップＳ１６６）、この優先順位更新処理を終了する。
【０１０１】
ステップＳ１６５にてＴＡデータを受信中でなければ、ステップＳ１６１に移行する。ステップＳ１６１にてＴＡ待機中でなければ、図中のＭ７に移行する。
【０１０２】
また、ステップＳ１６２にて受信局のＳメータが所定値以上でなければ、又はステップＳ１６３にて受信局のノイズレベル値が所定値以下でなければ、又はステップＳ１６４にて受信局がＴＰ局でなければ、前記ＴＰオートリチューン動作を開始し（ステップＳ１６７）、他のＴＰ局を探すために受信周波数を１ステップ更新してセットし（ステップＳ１６８）、このセットされた受信局のＳメータ値が所定値以上であるか否かを判定する（ステップＳ１６９）。
【０１０３】
この受信局のＳメータ値が所定値以上であれば、この受信局のノイズレベル値が所定値以下であるか否かを判定する（ステップＳ１７０）。この受信局のノイズレベル値が所定値以下であれば、この受信局がＴＰ局であるか否かを判定する（ステップＳ１７１）。この受信局がＴＰ局であれば、現受信局の受信周波数をＲＡＭ３２に記憶し（ステップＳ１７２）、ＴＡデータを受信中であるか否かを判定する（ステップＳ１７３）。ＴＡデータを受信中であれば、ステップＳ１６６に移行する。
【０１０４】
また、ステップＳ１６９にて受信局のＳメータ値が所定値以上でなければ、又はステップＳ１７０にて受信局のノイズレベル値が所定値以下でなければ、又はステップＳ１７１にて受信局がＴＰ局でなければ、又はＴＡデータを受信中でなければ、図１４に示すＭ８に移行する。
【０１０５】
図１４に示すＭ８において制御部３６は、前記プリセットメモリ領域３２ａ内に記憶されたＡＦリスト内に、図１３に示すステップＳ１６８にてセットされた受信局の受信周波数と同一の周波数があるか否かを判定する（ステップＳ１８１）。
【０１０６】
前記プリセットメモリ領域３２ａ内に同一の周波数があれば、図１３に示すステップＳ１６９のＳメータ値及びステップＳ１７０のノイズレベル値からなる受信レベルに基づいて、該プリセットメモリ領域３２ａの優先順位を更新し（ステップＳ１８２）、図１３に示すステップＳ１６８にてセットされた受信周波数がＦＭ受信放送帯域内を１周した、つまりＦＭ受信放送帯域内の全放送局におけるシークが終了したか否かを判定する（ステップＳ１８３）。
【０１０７】
ＦＭ受信放送帯域内を１周したのであれば、ＲＡＭ３２内にＴＰ局の受信周波数があるか否か、つまり、図１３に示すステップＳ１７２にて記憶された受信周波数があるか否かを判定する（ステップＳ１８４）。ＲＡＭ３２内にＴＰ局の受信周波数があれば、この受信周波数をセットして（ステップＳ１８５）、図１３に示すＭ９に移行する。
【０１０８】
また、ステップＳ１８１にてプリセットメモリ領域３２ａ内に同一周波数がなければ、ステップＳ１８３に移行する。ステップＳ１８３にてＦＭ受信放送帯域内を１周したのでなければ、図１３に示すＭ１０に移行する。
【０１０９】
また、ステップＳ１８４にてＲＡＭ３２内にＴＰ局の受信周波数がなければ、図１３に示すステップＳ１６２にて受信していたＴＰ局の受信周波数をセットし（ステップＳ１８６）、図１３に示すＭ９に移行する。
【０１１０】
このように、図１３及び図１４に示す優先順位更新処理によれば、ＴＰオートリチューン動作に伴って受信された各放送局の受信レベル（Ｓメータ値及びノイズレベル値）を測定し、この測定結果に基づいて前記プリセットメモリ領域３２ａに記憶されたＡＦリスト内における各放送局の優先順位を記憶更新するようにした。
【０１１１】
このように、ユーザーとしては、受信レベルの良好なＴＰ局をシークするのがＴＰオートリチューン動作の本来の目的であり、このＴＰオートリチューン動作時に記憶更新を実行し、この記憶更新に伴うＦＭ放送のミュートによって、不快感を受けるようなことはない。
【０１１２】
また、ＴＡ待機中であっても、ＴＰオートリチューン動作時においては、ＡＦリスト内における優先順位を記憶更新することが可能である。しかも、自動追従動作時においては、プリセットメモリ領域３２ａに記憶されたＡＦリスト内の優先順位に基づいて、最良の受信レベルの放送局を迅速、かつスムーズに受信することができる。
【０１１３】
図１５は別の実施の形態の優先順位更新処理における制御部３６の処理動作を示すフローチャートである。尚、構成については上記実施の形態と略同様であるから、前記実施の形態と同一構成部分には同一符号を付し、その重複する説明については省略する。
【０１１４】
通常、車載用ＲＤＳ受信機においては、受信アンテナ１１にダイバシティアンテナを採用しているため、各受信アンテナ１１に対応したラジオチューナー部が夫々設けてあり、例えば一方のラジオチューナー部でＡＭ放送を受信した場合でも、他方のラジオチューナー部でＦＭ放送を受信することが可能である。尚、ここで言うラジオチューナー部とは、前記フロントエンド部１２、ＩＦ検波回路１３及びＰＬＬ回路１８に相当するものである。
【０１１５】
このようなＲＤＳ受信機においては、ＦＭモード以外の他のモード時、例えばＡＭモード、ＣＤモードやテープモード時であっても、いずれかのラジオチューナー部でＦＭ放送を受信して、ＦＭモード時に最後に受信した放送局のＳメータ値やＲＤＳデータ取得を監視し、この放送局の受信レベルが悪化した場合には受信レベルの良好な放送局を受信するように自動追従動作を行っている。
【０１１６】
図１５に示す優先順位更新処理とは、このようなＦＭモード以外の他のモード中に自動追従動作を実行した後、ＦＭ放送受信帯域内の全ての放送局の受信レベル（Ｓメータ値及びノイズレベル値）を測定し、この測定結果に基づいて前記プリセットメモリ領域３２ａに記憶されたＡＦリスト内における各放送局の優先順位を記憶更新するものである。
【０１１７】
図１５において制御部３６は、自動追従動作を開始するか否かを判定する（ステップＳ１９１）。この自動追従動作を開始するのであれば、この自動追従動作を実行し（ステップＳ１９２）、この自動追従動作が終了したか否かを判定する（ステップＳ１９３）。尚、ステップＳ１９１における自動追従動作開始の判断は、受信中のＦＭ放送局における受信レベルが所定値よりも低下したか否かの判断による。
【０１１８】
ステップＳ１９３にて自動追従動作が終了したのであれば、現在モードがＦＭモード以外の他のモードであるか否かを判定する（ステップＳ１９４）。現在モードがＦＭモード以外の他のモードであれば、受信周波数を１ステップ更新してセットし（ステップＳ１９５）、このセットされた現在受信中の受信局のＳメータ値が所定値以上であるか否かを判定する（ステップＳ１９６）。
【０１１９】
この受信局のＳメータ値が所定値以上であれば、この受信局のノイズレベル値が所定値以下であるか否かを判定する（ステップＳ１９７）。この受信局のノイズレベル値が所定値以下であれば、この受信局にてＲＤＳデータが取得できるか否かを判定する（ステップＳ１９８）。
【０１２０】
この受信局にてＲＤＳデータが取得できたのであれば、プリセットメモリ領域３２ａに記憶されたＡＦリスト内に、この受信局の受信周波数と同一の周波数があるか否かを判定する（ステップＳ１９９）。
【０１２１】
前記プリセットメモリ領域３２ａ内に同一の周波数があれば、ステップＳ１９６のＳメータ値及びステップＳ１９７のノイズレベル値に基づく受信レベルに基づいて、該プリセットメモリ領域３２ａの優先順位を更新し（ステップＳ２００）、ステップＳ１９６にてセットされた受信周波数がＦＭ受信放送帯域内を１周した、つまりＦＭ受信放送帯域内の全放送局に対するシークが終了したか否かを判定する（ステップＳ２０１）。ＦＭ受信放送帯域内を１周したのであれば、この優先順位更新処理の処理動作を終了する。
【０１２２】
ステップＳ１９１にて自動追従動作を開始したのでなければ、この優先順位更新処理の処理動作を終了する。ステップＳ１９４にて現在モードがＦＭモード以外の他のモードでなければ、ステップＳ１９１に移行する。
【０１２３】
また、ステップＳ１９６にて受信局のＳメータ値が所定値以上でなければ、又はステップＳ１９７にて受信局のノイズレベル値が所定値以下でなければ、又はステップＳ１９８にて受信局にてＲＤＳデータを取得できたのでなければ、ステップＳ１９９に移行する。
【０１２４】
ステップＳ１９９にてプリセットメモリ領域３２ａのＡＦリスト内に受信局の受信周波数と同一の周波数がなければ、ステップＳ２０１に移行する。
【０１２５】
このように、図１５に示す優先順位更新処理によれば、ＦＭモード以外の他のモード中の自動追従動作後に、ＦＭ受信放送帯域内の全放送局の受信レベル（Ｓメータ値及びノイズレベル値）を測定し、この測定結果に基づいて前記プリセットメモリ領域３２ａに記憶されたＡＦリスト内における各放送局の優先順位を記憶更新するようにした。
【０１２６】
このように、ユーザーとしては、ＦＭモード以外の他のモード中における自動追従動作を実行したとしても、現在モード、つまりＦＭモード以外の他のモードを中断させないことが目的であり、この他のモード中における自動追従動作実行後にＡＦリスト内の記憶更新を行っても、ＦＭ放送を受聴しているわけではないから、この記憶更新に伴うＦＭ放送のミュートによって、不快感を受けることはない。
【０１２７】
また、ＦＭモード以外の他のモード中の自動追従動作実行後においては、ＡＦリスト内における優先順位を記憶更新することが可能となる。しかも、新たな自動追従動作時においては、プリセットメモリ領域３２ａに記憶されたＡＦリスト内の優先順位に基づいて、最良の受信レベルの放送局を迅速、かつスムーズに受信することができる。
【０１２８】
また、ＦＭモード以外のモード時にＦＭ放送に対する受信状況が悪化した場合には、ＴＡ待機中であっても、ユーザーが得ようとしている交通情報の地域から外れている可能性が高い。したがって、ユーザーは、ＡＦリスト内における優先順位の記憶更新中に交通情報が得られなくても支障を来すことはない。
【０１２９】
また、図１５に示す優先順位更新処理においては、ＦＭモード以外の他のモード中で自動追従動作を実行した後に、前記ＲＡＭ３２内のＡＦリストの記憶更新を実行するようにしたが、他のモード中の自動追従動作実行後に限らず、ＦＭモード以外の他のモード中であれば、いつでもＡＦリストの記憶更新を行うようにしても良い。
【産業上の利用可能性】
【０１３０】
本発明は、オートリチューン動作に伴って受信された各放送局の放送電波から番組識別コード及び周波数リストを抽出し、これら番組識別コード及び周波数リストに基づいて、各番組識別コードに対応した周波数リストを前記記憶手段に記憶更新するようにしたので、オートリチューン動作中にＡＦリストの記憶更新を行ったとしても、このオートリチューン動作は受信レベルの良好な交通情報放送局をシークする事を目的としているため、この記憶更新に伴うＦＭ放送のミュートによって、ユーザーに不快感を与えるようなことはなく、主に欧州等にて採用されているラジオ・データ・システム放送等の多重放送を受信する多重放送用受信装置等に好適である。
【図面の簡単な説明】
【０１３１】
【図１】本発明の多重放送用受信装置の実施形態を示すＲＤＳ受信機内部の概略構成を示すブロック図である。
【図２】本実施形態のデータ更新起動処理における制御部の処理動作を示すフローチャートである。
【図３】本実施形態のＲＡＭデータ更新処理における制御部の処理動作を示すフローチャートである。
【図４】本実施形態のＲＡＭデータ更新処理における制御部の処理動作を示すフローチャートである。
【図５】本実施形態のＲＡＭ内部のメモリマップを示す説明図である。
【図６】本実施形態のＲＡＭデータ更新処理における制御部の処理動作を示すフローチャートである。
【図７】本実施形態のオートストアＲＡＭデータ更新処理における制御部の処理動作を示すフローチャートである。
【図８】本実施形態のオートストアＲＡＭデータ更新処理における制御部の処理動作を示すフローチャートである。
【図９】当該オートストアＲＡＭデータ更新処理におけるＲＡＭ内部のメモリマップを示す説明図である。
【図１０】本実施形態の第１自動追従動作処理における制御部の処理動作を示すフローチャートである。
【図１１】本実施形態の第２自動追従動作処理における制御部の処理動作を示すフローチャートである。
【図１２】本実施形態の優先順位更新処理における制御部の処理動作を示すフローチャートである。
【図１３】他の実施形態の優先順位更新処理における制御部の処理動作を示すフローチャートである。
【図１４】他の実施形態の優先順位更新処理における制御部の処理動作を示すフローチャートである。
【図１５】他の実施形態の優先順位更新処理における制御部の処理動作を示すフローチャートである。
【図１６】ラジオデータ信号のベースバンドコーディング構造を示す説明図である。
【図１７】タイプ０Ａグループのフォーマット構造を示す説明図である。
【符号の説明】
【０１３２】
１０    音声出力系統（受信手段）
２０    データ抽出系統（データ抽出手段）
３１    受信レベル検出回路（レベル検出手段）
３２    ＲＡＭ（記憶手段）
３２ａ  プリセットメモリ領域
３２ｂ  予備メモリ領域
３６    制御部（電力供給判定手段、制御手段、割込待機判定手段、第１判定手段、第
２判定手段、周波数変更手段、モード設定判定手段）
【図１】
2006187043.tif 000003
【図２】
2006187043.tif 000004
【図３】
2006187043.tif 000005
【図４】
2006187043.tif 000006
【図５】
2006187043.tif 000007
【図６】
2006187043.tif 000008
【図７】
2006187043.tif 000009
【図８】
2006187043.tif 000010
【図９】
2006187043.tif 000011
【図１０】
2006187043.tif 000012
【図１１】
2006187043.tif 000013
【図１２】
2006187043.tif 000014
【図１３】
2006187043.tif 000015
【図１４】
2006187043.tif 000016
【図１５】
2006187043.tif 000017
【図１６】
2006187043.tif 000018
【図１７】
2006187043.tif 000019